(57)【要約】【課題】医療従事者がより少ない操作回数で入力する数値を目標設定値に設定することができる輸液ポンプを提供する。【解決手段】輸液ポンプ１は、医療従事者が押すことにより薬剤の注入速度を入力する薬剤の注入速度入力部２００と、薬剤の注入速度入力部２００を押して薬剤の注入速度を入力すると薬剤の注入速度を第１の傾きＬＣで増加させる通常注入速度設定範囲Ｍ１、Ｍ２、Ｍ３と、薬剤の注入速度を第１の傾きＬＣよりも小さい第２の傾きＴＴで増加させる目標注入速度設定範囲Ｒ１、Ｒ２、Ｒ３とを設定する制御部１００とを備える。【選択図】図５
2012205736.tif 000002
【特許請求の範囲】
【請求項１】
薬剤を患者に対して送液する輸液ポンプであって、
押すことにより前記薬剤の注入速度を入力する薬剤の注入速度入力部と、
前記薬剤の注入速度入力部を押して前記薬剤の注入速度を入力すると前記薬剤の注入速度を第１の傾きで増加させる通常注入速度設定範囲と、前記薬剤の注入速度を前記第１の傾きよりも小さい第２の傾きで増加させる目標注入速度設定範囲を設定する制御部と
を備えることを特徴とする輸液ポンプ。
【請求項２】
前記薬剤を通す薬剤管路を挟んだ状態で前記薬剤管路を蠕動させることで前記薬剤管路内の前記薬剤を送液するポンプ機構部を有することを特徴とする請求項１に記載の輸液ポンプ。
【請求項３】
前記ポンプ機構部を有する本体ベースと、前記本体ベースに対して開閉可能であり、前記薬剤管路を上下方向に配置して挟むドアを有することを特徴とする請求項２に記載の輸液ポンプ
【請求項４】
前記目標注入速度設定範囲の幅と、前記目標注入速度設定範囲における前記第２の傾きの値と、前記目標注入速度設定範囲の出現回数と、を変更するための設定変更部を有することを特徴とする請求項１ないし請求項３のいずれかに記載の輸液ポンプ。
【発明の詳細な説明】
【技術分野】
【０００１】
本発明は、薬剤を患者に輸液するための輸液ポンプに関する。
【背景技術】
【０００２】
医療機関での医療や在宅医療において使用される輸液ポンプは、輸液注入速度や輸液予定量の設定を行うために、操作パネル上に設定入力キーを有している（特許文献１と特許文献２を参照）。
【先行技術文献】
【特許文献】
【０００３】
【特許文献１】特開平９−１５４９４３号公報
【特許文献２】特開２０００−３００６６７号公報
【発明の概要】
【発明が解決しようとする課題】
【０００４】
ところで、医療従事者が、輸液ポンプにおいて設定入力キーを用いて注入速度の値を上下して入力する際に、入力しようとする数量の目標設定値が、初期設定値や前回値とは大きくかけ離れている場合がある。また、医療従事者が、設定入力キーを１回押す度に数値を変化できる数量の変化量が小さい場合には、医療従事者は設定入力キーを長い間押さないと目標設定値に数値が達しないので、長い操作時間を要してしまう。
このように長い操作時間がかかることを防ぐために、医療従事者が目標設定値までに数値が達するまで設定入力キーを長い時間押し続けて、数値を高速に移動させることで、短い時間であっても数値を目標設定値付近まで到達させることは可能である。
【０００５】
しかし、この場合には、医療従事者が目標設定値までに設定入力キーを長い時間押し続けると、数値が高速で変化するために、医療従事者が指を設定入力キーから離しても必ずしも目標設定値付近で止まるとは限らず、多くの場合には、数値が目標設定値のかなり手前であったり、数値が目標設定値をかなり過ぎてしまう。このため、医療従事者が目標設定値までに設定入力キーのアップキーとダウンキーを繰り返して押さないと、数値を目標設定値にすることができないので、注入速度の数値設定作業には時間がかかり面倒である。
そこで、本発明は、医療従事者がより少ない操作回数で入力する数値を目標設定値に設定することができる輸液ポンプを提供することを目的とする。
【課題を解決するための手段】
【０００６】
本発明の輸液ポンプは、薬剤を患者に対して送液する輸液ポンプであって、押すことにより前記薬剤の注入速度を入力する薬剤の注入速度入力部と、前記薬剤の注入速度入力部を押して前記薬剤の注入速度を入力すると前記薬剤の注入速度を第１の傾きで増加させる通常注入速度設定範囲と、前記薬剤の注入速度を前記第１の傾きよりも小さい第２の傾きで増加させる目標注入速度設定範囲を設定する制御部と、を備えることを特徴とする。
上記構成によれば、医療従事者がより少ない操作回数で入力する数値を目標設定値に設定することができる。すなわち、医療従事者が、薬剤の注入速度入力部を押して薬剤の注入速度を入力する際に通常注入速度設定範囲では薬剤の注入速度を第１の傾きで早い速度で増加させ、薬剤の注入速度が目標注入速度設定範囲に達すると、目標注入速度設定範囲では通常注入速度設定範囲に比べて薬剤の注入速度を第２の傾きで遅い速度で増加させることできるので、医療従事者がより少ない操作回数で入力する注入速度の数値を、注入速度の目標設定値に設定することができる。
【０００７】
好ましくは、前記薬剤を通す薬剤管路を挟んだ状態で前記薬剤管路を蠕動させることで前記薬剤管路内の前記薬剤を送液するポンプ機構部を有することを特徴とする。
上記構成によれば、薬剤管路を蠕動させることで薬剤管路内の薬剤を送液する輸液ポンプであっても、医療従事者がより少ない操作回数で入力する数値を目標設定値に設定することができる。
【０００８】
好ましくは、前記ポンプ機構部を有する本体ベースと、前記本体ベースに対して開閉可能であり、前記薬剤管路を上下方向に配置して挟むドアを有することを特徴とする。
上記構成によれば、剤管路を上下方向に配置して挟んで、薬剤管路内の薬剤を送液する輸液ポンプであっても、医療従事者がより少ない操作回数で入力する数値を目標設定値に設定することができる。
【０００９】
好ましくは、前記目標注入速度設定範囲の幅、前記目標注入速度設定範囲における前記第２の傾きの値、前記目標注入速度設定範囲の出現回数、を変更するための設定変更部を有することを特徴とする。
上記構成によれば、医療従事者は、必要に応じて、目標注入速度設定範囲の幅と、目標注入速度設定範囲における第２の傾きの値と、目標注入速度設定範囲の出現回数とを変更できるので、輸液ポンプの利便性が向上する。
【発明の効果】
【００１０】
本発明は、医療従事者がより少ない操作回数で入力する数値を目標設定値に設定することができる輸液ポンプを提供することができる。
【図面の簡単な説明】
【００１１】
【図１】本発明の輸液ポンプの好ましい実施形態を示す斜視図。
【図２】図１に示す輸液ポンプの正面図。
【図３】図１に示す輸液ポンプの電気構成例を示すブロック図。
【図４】制御部とアップ・ダウン操作部を示すブロック図。
【図５】輸液ポンプが輸液チューブに通す薬剤の注入速度が、時間経過に伴って変化する注入速度の数値変化例を示す図。
【図６】輸液ポンプ１の動作例を示すフロー図。
【発明を実施するための形態】
【００１２】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１は、本発明の輸液ポンプの好ましい実施形態を示す斜視図であり、図２は、図１に示す輸液ポンプの正面図である。図１では、輸液ポンプ１の前面側のドア４が本体ベース３から開いており、ドア４の内部と本体ベース３の内部が露出されている。図２では、輸液ポンプ１の操作スイッチパネル１０００の例を示している。
【００１３】
図１と図２に示す輸液ポンプ１は、例えば薬剤（薬液ともいう）を、１〜９９９９ｍＬ／ｈ，１〜９９９９ｍＬの範囲で送液するための蠕動式輸液装置であり、図１に示すように、この輸液ポンプ１は輸液用ポール９０に対して着脱可能に固定することができる。図１に示すように、輸液ポンプ１は、輸液用ポール９０に固定した状態で、本体ベース３は、図２に示す例えば可撓性の輸液チューブ２を着脱可能に装着して、ドア４を閉じた状態で使用する。輸液チューブ２は薬剤管路の一例である。この輸液ポンプ１は、上方に設けられたハンドル５と左右の突起部３ａ(図１では右側のみ図示)を有している。
図１に示すように、固定金具９１がこの輸液ポンプ１の背面に固定されている。固定金具９１は、図示のように輸液用ポール９０に対して固定するために固定用ノブ９２を有しており、固定用ノブ９２を緩めることで、輸液ポンプ１は輸液用ポール９０の任意の高さに随時固定して使用できる。輸液ポンプ１を輸液用ポール９０から取外した後に、患者ベッド傍らの机上に置いた状態でも使用できるようにするために、輸液ポンプ１の底面の４隅にはゴム足９３が固定されている。
【００１４】
図２に示す輸液チューブ２をセットした状態での使い勝手を良くするために、医療従事者 (医師、看護師等）が親指で操作スイッチパネル１０００上の各スイッチを押すとともに、残りの指先を左右の突起部３ａの裏側に引っ掛るようにして、各種スイッチの押圧動作が容易に行えるように配慮されている。これらの左右の突起部（凸状部）３ａが設けられていることにより、輸液ポンプ１の本体化粧カバー１２の幅がドア４の幅よりも大きくなるように形成されているので、輸液ポンプ１が床面上に落下した場合であっても、左右の突起部（凸状部）３ａと本体化粧カバー１２が輸液ポンプ１の重心の関係からドア４よりも先に床面に当る。これにより、左右の突起部（凸状部）３ａと本体化粧カバー１２は、本体ベース３とドア４を落下時の衝撃力から保護する役割も果たしている。
【００１５】
図１に示す本体ベース３には、輸液チューブ２を左右から挟持する溝部３ｍが上下に２ケ所成形されており、医療従事者はこれらの溝部３ｍ内に輸液チューブ２を上下方向にセットするように構成されている。本体ベース３の中間位置には、１０個のフィンガ１０−ｎを設けたポンプ機構部１９０が設けられている。このポンプ機構部１９０は、合計で４個のネジ１１０を用いて着脱可能に構成されており、ポンプ機構部１９０は１０個のフィンガ１０−ｎを有している。１０個のフィンガ１０−ｎは、本体ベース３に内蔵されたカム駆動手段（図示せず）により個別に前方に突き出されることで、輸液チューブ２を上側から下方に向けて押すことができる。また、図１に示す本体ベース３の下方部位には、紙面前方に突出する顎部３ｋが溝部３ｍを取り囲むように一体成形されている。
【００１６】
図１に示す本体ベース３のほぼ中間の右側部位にはフック５９が固定されている。ドア４に回動自在に設けられたドアロックレバー７が、このフック５９に対して係止されることで、ドア４を本体ベース３に対する固定状態に維持できる。ドア４にはドアシールゴム６６が配設されている。ドア４を閉じた時に、ドアシールゴム６６は本体ベース３の形状部３ｊとの間で接合シール面を形成する。これにより、輸液ポンプ１の内部には薬液等が侵入することを防止している。
【００１７】
図１に示すポンプ機構部１００の下方向には閉塞センサ６２が配設されている。閉塞センサ６２は、ドア４に配設された閉塞押え板６９とともに、輸液チューブ２を前後方向に挟持する。この閉塞センサ６２は、永久磁石とこの永久磁石の移動距離をアナログ的に検出するためのピックアップとから構成されており、輸液チューブ２の閉塞状態に伴う内圧変化に応じて移動される永久磁石の位置を検出するように構成されている。このために、閉塞押え板６９は、輸液チューブ２のあらゆる方向の内圧変化を規制しないようにする必要があるので、図１に示す円盤状の閉塞押え板６９は、バネ板（弾性部材）の端部において自由に可動できるように保持されている。
【００１８】
図１に示すように、上方の溝部３ｍとポンプ機構部１９０との間には、基部側センサ３０が本体ベース３に形成された凹部３ｈに固定されている。基部側センサ３０は、超音波を送受信して輸液チューブ２内に混入した気泡の有無を検出する気泡センサ３０Ｓの一方である。超音波気泡センサ３０Ｓの他方となるドア側センサ３１は、ドア４の内側に固定されている。これにより、ドア４を閉じた状態では、ドア側センサ３１が輸液チューブ２を前後方向から基部側センサ３０に対して挟むことで、輸液チューブ２を不動状態に維持できる。
【００１９】
図１に示すポンプ機構部１９０と本体ベース３は、フィンガ１０−ｎを含み、例えば概ねグレー系統の着色が施されているが、ポンプ機構部１９０の上下部分には目立つ色である例えば赤色ないし橙色系統に着色されたチューブガイド９４，９５が固定されている。医療従事者が輸液チューブ２をセットする時には、輸液チューブ２を各チューブガイド９４，９５内にセットすることで、輸液チューブ２がポンプ機構部１００の所定位置に間違いなく保持できる。図１では、ドア４が本体ベース３に対してほぼ９０度まで開かれた状態が示されている。このドア４はヒンジ６５，６５を用いてこの位置で停止させる。
【００２０】
図１と図２に示す輸液ポンプ１は、合成樹脂材料からなる本体化粧カバー１２を、本体ベース３の４隅を覆うように着脱自在に設けている。従って、この本体化粧カバー１２を取り外すことで、輸液ポンプ１の内部の全ての点検、部品交換箇所に簡単に近づけるようにして、組立作業のみならず保守点検、部品交換作業の容易化を考慮した設計となっている。
上下のヒンジ６５，６５の間には、電源供給及び電気信号伝達のためにフレキシブルケーブル６３が設けられている。フレキシブルケーブル６３は、図２に示す操作スイッチパネル１０００への電源供給および電気信号の伝達と、上述したドア側センサ３１への電源供給および電気信号伝達を行える。
【００２１】
図２に示すように、輸液ポンプ１の前面側には、操作スイッチパネル１０００が配置されている。所定の薬剤を内蔵した輸液バッグ３００が図１の輸液用ポール９０に吊されており、輸液チューブ２の上流側がこの輸液バッグ３００に接続されている。
図２の輸液チューブ２の途中部位は、輸液ポンプ１内に装着され、輸液チューブ２のさらに下流側は、ローラクランプ３０３を介して静脈刺針３０４が接続されており、この静脈刺針３０４を患者の静脈に刺針することで薬剤の注入を設定入力された所定速度（ｍＬ／ｈ）で行うことができる。
【００２２】
図１のように、輸液チューブ２の途中部位を一時的にセットした後、図２のようにドア４を閉じてドアロックレバー７の操作をすることにより、輸液動作が開始できる。
図２に示す操作スイッチパネル１０００では、注入予定量（輸液予定量）／積算量表示部２３と注入速度（流量ともいう）の表示部３２は、いわゆる７セグメント数字表示となっている。すなわち、図２の示すドア４の表面には、操作スイッチパネル１０００と、予定量／積算量表示部２３と、注入速度の表示部３２が見やすくレイアウトされている。注入速度の表示部３２は、例えば橙色のＬＥＤ（発光ダイオード）で、予定量／積算量の表示部２３は、緑色のＬＥＤで色別に表示し、注入速度の表示部３２は予定量／積算量の表示部２３よりも大きく表示する。
【００２３】
図２の操作スイッチパネル１０００の各操作スイッチと、予定量／積算量表示部２３と、注入速度の表示部３２は、透明樹脂フィルムの裏面上に所定項目が印刷されるとともに、エンボス加工により前方に円形に突出するように加工された樹脂フィルムにより、各スイッチを覆うように接着して設けられており、薬液等が内部に侵入するのを防止している。各スイッチは共通の基板上に実装され、また、表示部２１，２３，２５，２６，２７，２８，３２のＬＥＤは、自己発光して表示が夜間でも見えやすいようにしている。各スイッチと表示部２１，２３，２５，２６，２７，２８，３２およびランプ類は、制御部１００に対して図１のフレキシブルケーブル６３を介して接続されており、このフレキシブルケーブル６３から電源供給及び制御信号、駆動信号の電気信号を伝達するようにしている。
【００２４】
ここで、図２に示す操作スイッチパネル１０００における各スイッチやランプの機能について説明する。
図２の電源スイッチ１５は、メイン電源のオン／オフ操作に使用されるものであり、所定秒（およそ２秒）押し続けることで、電源入（ＯＮ）となり、再度所定秒（およそ３秒以上）押し続けることで、電源切（ＯＦＦ）となるように制御され、不用意に電源入／切ができない。
この電源スイッチ１５の右隣りのバッテリランプ１６は、電源の入（ＯＮ）／切（ＯＦＦ）に関係なく交流または専用の直流電源を接続している時に点灯して充電中であることを知らせる。このバッテリランプ１６は、充電中には充電量を、内蔵バッテリの使用中には残量を、それぞれ３段階レベルでＬＥＤ表示する。
【００２５】
図２のバッテリランプ１６の左側には、商用電源か直流電源を使用している時であって、電源がＯＮの時のみ常時点灯する交流（ＡＣ）／直流（ＤＣ）ランプ１７が設けられている。この交流／直流ランプ１７の上には、輸液中に押すことで内蔵のブザーが鳴り、輸液を強制停止するための停止・消音スイッチ１８が設けられている。
この停止・消音スイッチ１８は、警報音（ブザー）が鳴っている時に押すことで消音させることができ、停止・消音スイッチ１８は、輸液の準備が整い、輸液開始可能な状態から所定秒（２秒程度）押し続けることでスタンバイ設定手段としての機能を有し、「スタンバイモード」となり、開始忘れを注意するアラーム状態が解除される状態になる。このことから、例えば手術室内において患者への刺針が完了した状態で待機する時に、輸液開始までの時間中にアラーム（ブザー）発生を行わないようにできる。なお、アラーム状態が解除されていない条件では、所定分（約２０分）後にアラーム（ブザー音）を発生させて、輸液開始を促すようにしている。
【００２６】
図２の停止・消音スイッチ１８の左隣りには、停止中に橙色で発光するダイオードが点滅するようにした停止表示ランプ２１が、停止・消音スイッチ１８と同じ枠で囲むようにして関連付けて設けられている。この停止・消音スイッチ１８の右隣りには開始スイッチ１９が設けられており、この開始スイッチ１９を押すことで内蔵のブザーが鳴り、輸液動作を開始し、開始表示ランプ２０の緑色発光ダイオードが点滅して動作状態であることを表示している。
また、図１に示すように、少し離れた位置からも動作状態が視認できるようにドア４の上部に突出して設けられた動作インジケータ６の緑色発光ダイオードは、輸液量（輸液速度）に応じた点滅間隔で点滅する。また、図２に示す停止・消音スイッチ１８の左隣りには、早送りスイッチ３６が設けられており、これを押圧することで押圧している間は設定された速度（ｍＬ／ｈ）よりも早い速度で薬剤の送液を行える。
【００２７】
図２の注入速度表示部（輸液注入速度表示部）３２の下部には、設定入力部を構成する１つのアップ・ダウン操作部２００が配置されている。アップ・ダウン操作部２００は、注入速度アップスイッチ２０１と注入速度ダウンスイッチ２０２を有している。
薬剤の注入速度設定の場合には、医療従事者が指で注入速度アップスイッチ２０１を押すことで、薬剤の注入速度（輸液注入速度）（ｍＬ／ｈ）の上昇入力が例えば１.０〜９９９ｍＬ／ｈの範囲で行え、指で注入速度ダウンスイッチ２０２を押すことで、薬剤の注入速度（輸液注入速度）（ｍＬ／ｈ）の下降入力が例えば１.０〜９９９ｍＬ／ｈの範囲で行える。
注入速度表示部３２の左隣りには、押圧されることで注入速度設定モードに入る注入速度設定スイッチ１１が設けられている。医療従事者が注入速度（ｍＬ／ｈ）設定を行う際には、まずこの注入速度設定スイッチ１１を押して、注入速度表示部３２が点滅状態であることを確認後、アップ・ダウン操作部２００で注入速度の数値を入力して所定の数値であることを確認し、再度、注入速度設定スイッチ１１を押すことで、薬剤の注入速度は確定入力できる。
【００２８】
また、薬剤の予定量設定の場合には、医療従事者が指で図２の注入速度アップスイッチ２０１を押すことで、薬剤の予定量（輸液予定量）（ｍＬ）の設定入力が例えば１〜９９９９ｍＬの範囲で行え、指で注入速度ダウンスイッチ２０２を押すことで、薬剤の予定量（輸液予定量）（ｍＬ）の下降入力が例えば１〜９９９９ｍＬの範囲で行える。
図２の注入速度表示部３２の上方には、別枠印刷で囲まれた積算量・予定量表示部２３が配置されている。１ｍＬ単位で設定するかまたはフリーに設定できるようにプログラムされ、その設定値を図２に示す記憶部７１に記憶するようになっている。積算量・予定量表示部２３の左隣りには、予定量設定スイッチ９が設けられている。積算量・予定量表示部２３は、輸液された積算量が、積算量表示範囲が０.０〜９９９９ｍＬの範囲となるように、１ｍＬ単位で表示するようにプログラムされている。
医療従事者が、薬剤の予定量（ｍＬ）設定を行う際には、まずこの予定量設定スイッチ９を押して、積算量・予定量表示部２３が点滅状態であることを確認後、アップ・ダウン操作部２００で注入速度の数値を入力して所定の数値であることを確認し、再度、予定量設定スイッチ９を押すことで、薬剤の注入速度は確定入力できる。
【００２９】
なお、設定入力された注入速度（ｍＬ／ｈ）と予定量（ｍＬ）が、注入速度（ｍＬ／ｈ）≧予定量（ｍＬ）の場合、アラーム（ブザーまたは音声報知）により使用者に注意を促すようにしている。音声報知の一例としては、図２に示す音声ＩＣチップ７０に予め記憶された、「設定注入速度をご確認下さい」等の音声で医療従事者に報知する。表示部１１００は、輸液セット選択パネル８、予定量設定スイッチ９、そして注入速度設定スイッチ１１により構成されており、表示部１１００にはＬＥＤ素子が使用されており、夜間ないし暗い部屋でも照明なしで視認できるようにしている。また、この輸液ポンプ１は注入速度上限設定機能も備えている。
図２の積算量・予定量表示部２３の上方には、輸液セット選択パネル８が設けられている。この輸液セット選択パネル８は、図２に示す輸液バッグ３００を使用して輸液を行う時に点滴数を設定し、設定後に確認する。この右隣りには、「完了」の文字を点滅で表示する完了表示部２４が設けられている。この完了表示部２４の下方には、ドライバーの絵文字（キャラクター等）を裏面から照明したり、ＬＥＤ表示により定期点検時期が近づいている時または定期点検時期である旨を知らせる点検時期表示部１３が設けられている。
【００３０】
その他に、図２の操作スイッチパネル１０００には、次のような要素が配置されている。すなわち、図１に示す輸液チューブ２の閉塞異常が閉塞センサ６２で検出されて輸液ができない時に「閉塞」の文字が点滅するようにして処置を促す閉塞異常表示部２６と、ドアが本体ベース３に対して完全でない時にその状態がドアスイッチで検出された時に「ドア」の文字を点滅させるドア開き表示部２７と、輸液チューブ２中に所定長（１０ｍｍ又は５ｍｍ）の長さの気泡が混入したと気泡センサにより判断された時に「気泡」の印刷文字を点滅するようにした気泡異常表示部２８と、内蔵バッテリの電圧が低下した時に「バッテリ」を点滅表示するようにしたバッテリ異常表示部２９と、注入速度異常を表示する注入速度異常表示部２５が、同じ印刷枠で囲まれたアラーム表示部内に配置されている。
【００３１】
図３は、図１に示す輸液ポンプ１の電気構成例を示すブロック図である。
図３を参照すると、マイクロコンピュータなどのＣＰＵとＣＰＵにより実行される装置全体の制御プログラムや各種データを記憶するＲＯＭとワークエリアとして測定データや各種データを一時的に記憶するＲＡＭなどを備え、制御・判断を行なう制御部１００には、動作インジケータ６、滴数設定スイッチ８、滴数表示部８Ａ、予定量・積算量設定スイッチ９、注入速度設定スイッチ１１、点検時期表示部１３、電源スイッチ１５、停止・消音スイッチ１８、開始スイッチ１９、アップ・ダウン操作部２００、予定量／積算量表示部２３、注入速度表示部３２、気泡センサ３０Ｓ、閉塞圧検出調整スイッチ５１、外部通信部５６、閉塞センサ６２、ドアスイッチ６９、音声ＩＣチップ７０、記憶部７１、点検時期設定スイッチ７７、設定変更部２７０が、電気的に接続されている。
【００３２】
図４は、制御部１００とアップ・ダウン操作部２００等を示すブロック図である。
図４において、アップ・ダウン操作部２００の注入速度アップスイッチ２０１と注入速度ダウンスイッチ２０２は、制御部１００に対して電気的に接続されている。また、メモリ２３０と、メモリ２５０と、設定変更部２７０が、制御部１００に対して電気的に接続されている。
医療従事者が、指で図２と図４に示すアップ・ダウン操作部２００の注入速度アップスイッチ２０１を押すことにより、図２に示す輸液チューブ２に通す薬剤の注入速度を上げることができ、医療従事者が、指で図２と図４に示すアップ・ダウン操作部２００の注入速度ダウンスイッチ２０２を押すことにより、図２に示す輸液チューブ２に通す薬剤の注入速度を下げることができる。
【００３３】
図５は、輸液ポンプ１が輸液チューブ２に通す薬剤の注入速度が、時間経過に伴って変化する注入速度の数値変化例を示している。
図５に示す薬剤の注入速度変化例では、例えば複数回の通常注入速度設定範囲Ｍ１、Ｍ２、Ｍ３と複数回の目標注入速度設定範囲Ｒ１、Ｒ２、Ｒ３が予め設定されている。通常注入速度設定範囲Ｍ１、Ｍ２、Ｍ３と目標注入速度設定範囲Ｒ１、Ｒ２、Ｒ３は交互に設定されている。これらの目標注入速度設定範囲Ｒ１、Ｒ２、Ｒ３とは、輸液ポンプ１により薬剤を輸液する際に、薬剤の注入速度を設定しようとする頻度の高い目標設定値の範囲である。
【００３４】
医療従事者が、指で図２と図４に示すアップ・ダウン操作部２００の注入速度アップスイッチ２０１を押し続けることにより、図５に示す目標注入速度設定範囲Ｒ１、Ｒ２、Ｒ３を除く通常注入速度設定範囲Ｍ１、Ｍ２、Ｍ３では、図２に示す輸液チューブ２に通す薬剤の注入速度を一定の第１の傾きＬＣで直線的に増加することができる。
しかし、医療従事者が、指で図２と図４に示す注入速度アップスイッチ２０１を押し続けることにより、図５に示す目標注入速度設定範囲Ｒ１、Ｒ２、Ｒ３では、図２に示す輸液チューブ２に通す薬剤の注入速度を一定の第１の傾きＬＣとは異なる予め定めた第２の傾きＴＴで直線的に増加することができる。
この目標注入速度設定範囲Ｒ１、Ｒ２、Ｒ３における薬剤の注入速度の予め定めた第２の傾きＴＴは、通常注入速度設定範囲Ｍ１、Ｍ２、Ｍ３における薬剤の注入速度の一定の第１の傾きＬＣに比べて小さく設定されている（第２の傾きＴＴ＜第１の傾きＬＣ）。
図４に示すメモリ２３０には、図４に示す制御部１００が、図５に例示する目標注入速度設定範囲Ｒ１、Ｒ２、Ｒ３と通常注入速度設定範囲Ｍ１、Ｍ２、Ｍ３に従って、薬剤の注入速度の設定処理を行うことができるようにするためのプログラムが格納されている。
図４に示すメモリ２５０には、実際に図５に例示するような目標注入速度設定範囲Ｒ１、Ｒ２、Ｒ３と通常注入速度設定範囲Ｍ１、Ｍ２、Ｍ３や、第１の傾きＬＣと第２の傾きＴＴの数値例を記憶することができる。
【００３５】
一般に、医療従事者が薬剤の注入速度の目標設定値までに設定入力キーを長い時間押し続けると、数値が高速で変化するために、医療従事者が指を設定入力キーから離しても必ずしも目標設定値付近で止まるとは限らず、多くの場合には、注入速度の数値がかなり目標設定値の手前であったり、過ぎたりしてしまう。このため、医療従事者が薬剤の注入速度が注入速度の目標設定値に到達するまでに設定入力キーのアップキーとダウンキーを繰り返して押さないと、注入速度の数値を目標設定値にすることができず、数値設定作業は時間がかかり面倒である。
【００３６】
そこで、本発明の実施形態の輸液ポンプ１を使用すると、医療従事者はより少ない操作回数で、入力する薬剤の注入速度の数値を目標設定値に設定することができる。この輸液ポンプ１の動作例を、図１と図２と図４と図５、そして図６を参照して、以下に説明する。
図６は、輸液ポンプ１の動作例を示すフロー図である。
図６のステップＳ１では、医療従事者は、図２と図３に示す輸液ポンプ１の電源スイッチ１５を押して、輸液ポンプ１を起動する。
図６のステップＳ２では、図２に示すように、医療従事者がドア４を開けて輸液チューブ２を上下位置の溝部３ｍ、３ｍ内にはめ込むとともに輸液チューブ２をチューブガイド９４，９５にはめ込むことで、輸液チューブ４は上下方向に沿って確実に装着できる。そして、医療従事者はドア４を閉めることで、図１に示すドア４の押圧部材１７０が輸液チューブ２をポンプ機構部１９０に押し付ける。このポンプ機構部１９０の１０個のフィンガ１０−ｎが、上から下に向けて順次輸液チューブ２を押すことにより、蠕動式で輸液チューブ２内の薬剤を上から下に向けてＺ方向に送液することが可能な状態になる。
【００３７】
図６に示すステップＳ３では、医療従事者は薬剤の注入速度の設定を行う。この場合には、医療従事者が薬剤の注入速度（ｍＬ／ｈ）設定を行うために、図２に示す注入速度設定スイッチ１１を押して、注入速度表示部３２が点滅状態であることを確認後、アップ・ダウン操作部２００の注入速度アップスイッチ２０１を押すことで薬剤の注入速度の数値を入力し、所定の数値であることを確認し、再度、注入速度設定スイッチ１１を押すことで薬剤の注入速度の数値を確定入力できる。
このように、アップ・ダウン操作部２００の注入速度アップスイッチ２０１を押して、薬剤の注入速度の数値を入力する場合には、図４に示す制御部１００は、メモリ２５０に記憶されている実際に図５に例示するような目標注入速度設定範囲Ｒ１、Ｒ２、Ｒ３と通常注入速度設定範囲Ｍ１、Ｍ２、Ｍ３や、第１の傾きＬＣと第２の傾きＴＴの数値例を読み出して、制御部１００は、図５に示すこの注入速度変化例に従って、例えば注入速度（輸液注入速度）（ｍＬ／ｈ）の設定入力を１.０〜９９９ｍＬ／ｈの範囲で、次にようにして薬剤の注入速度の設定を行うことができる。
【００３８】
図２と図５を参照すると、医療従事者が注入速度（ｍＬ／ｈ）設定を行う際には、まずこの注入速度設定スイッチ１１を押して、注入速度表示部３２が点滅状態であることを確認後、アップ・ダウン操作部２００の注入速度アップスイッチ２０１を押して、図５に示す通常注入速度設定範囲Ｍ１においては、薬剤の注入速度は、例えば１．０ｍＬ／ｈから注入速度ＬＭ１まで、第１の傾きＬＣで変化して注入速度の増加の速度が高速になるように上昇される。
図５において、薬剤の注入速度が注入速度ＬＭ１に達して目標注入速度設定範囲Ｒ１の範囲に入ると、薬剤の注入速度は目標注入速度設定範囲Ｒ１の範囲では、注入速度ＬＭ１から注入速度ＬＭ２まで第２の傾きＴＴ（第２の傾きＴＴ＜第１の傾きＬＣ）で変化して注入速度の増加の速度が遅くなるように上昇される。このように、目標注入速度設定範囲Ｒ１での薬剤の注入速度は、通常注入速度設定範囲Ｍ１における薬剤の注入速度に比べて、遅く上昇させることができる。
【００３９】
次に、図５に示す次の通常注入速度設定範囲Ｍ２においては、薬剤の注入速度が注入速度ＬＭ２からさらに注入速度ＬＭ３に向けて第１の傾きＬＣで変化するようにして注入速度の増加の速度が高速になるように上昇される。図５において、薬剤の注入速度が注入速度ＬＭ３に達して目標注入速度設定範囲Ｒ２の範囲に入ると、薬剤の注入速度は目標注入速度設定範囲Ｒ２の範囲では、注入速度ＬＭ３から注入速度ＬＭ４まで第２の傾きＴＴ（第２の傾きＴＴ＜第１の傾きＬＣ）で変化するようにして注入速度の増加の速度が遅くなるように上昇される。このように、目標注入速度設定範囲Ｒ２の薬剤の注入速度は、通常注入速度設定範囲Ｍ２における薬剤の注入速度に比べて、遅く上昇させることができる。
【００４０】
さらに、図５に示す次の通常注入速度設定範囲Ｍ３においては、薬剤の注入速度が注入速度ＬＭ４からさらに注入速度ＬＭ５に向けて第１の傾きＬＣで変化するようにして注入速度の増加速度が高速になるように上昇される。図５において、薬剤の注入速度が注入速度ＬＭ５に達して目標注入速度設定範囲Ｒ３の範囲に入ると、薬剤の注入速度は目標注入速度設定範囲Ｒ３の範囲では、注入速度ＬＭ５から注入速度ＬＭ６まで第２の傾きＴＴ（第２の傾きＴＴ＜第１の傾きＬＣ）で変化するようにして注入速度の増加の速度が遅くなるように上昇される。このように、目標注入速度設定範囲Ｒ３の薬剤の注入速度は、通常注入速度設定範囲Ｍ３における薬剤の注入速度に比べて、遅く上昇させることができる。
そして、最終的には、医療従事者は、薬剤の注入速度を所定の数値に設定できたことを確認し、再度、図２の注入速度設定スイッチ１１を押すことで薬剤の注入速度を確定できる。
【００４１】
上述したように、医療従事者は、注入速度アップスイッチ２０１を押して図５に示すような薬剤の注入速度設定を行うことができるので、図５に示す通常注入速度設定範囲Ｍ１、Ｍ２、Ｍ３では、薬剤の注入速度は第１の傾きＬＣで変化するようにして注入速度の増加の速度が高速になるように上昇できる。そして、設定する頻度の高い目標注入速度設定範囲Ｒ１、Ｒ２、Ｒ３では、注入速度ＬＭ１から注入速度ＬＭ２まで第２の傾きＴＴ（第２の傾きＴＴ＜第１の傾きＬＣ）で変化するようにして注入速度の増加の速度が遅くなるように上昇できる。このため、薬剤の注入速度が一定の速度で高速に増加する従来の場合に比べて、医療従事者は、アップ・ダウン操作部２００を操作して薬剤の注入速度を設定する場合に、より少ない操作回数で、薬剤の注入速度の目標設定値を設定して確定することができる。
なお、医療従事者が注入速度アップスイッチ２０１から指を離して注入速度アップの操作を止めた時には、図３の制御部１００は注入速度表示部３２において、止まった注入速度の設定値から最も近いキリの良い設定値を表示させることができる。例えば、医療従事者の指が注入速度アップスイッチ２０１から離れた時の薬剤の注入速度の値が「５４．９ｍＬ／ｈ」であるとすれば、図３の制御部１００は、止まった注入速度の設定値から最も近いキリの良い設定値まで変えて、例えば注入速度表示部３２においては、「５５ｍＬ／ｈ」として、設定値を表示させることができる。
【００４２】
次に、図６に示すステップＳ４では、医療従事者は薬剤の予定量を設定入力する。この場合には、医療従事者は指で図２に示す予定量設定スイッチ９を押して、隣の予定量／積算量の表示部２３の数値を点滅させながら、アップ・ダウン操作部２００の注入速度アップスイッチ２０１と注入速度ダウンスイッチ２０２を押して、例えば予定量（輸液予定量）（ｍＬ）の設定入力を１〜９９９９ｍＬの範囲で行うことができる。
次に、図６に示すステップＳ５では、医療従事者は薬剤の滴数設定入力を行う。医療従事者は、指で輸液セット選択パネル８を押して、点滅する滴数表示部８Ａを見ながら薬剤の点滴数を設定する。
そして、図６に示すステップＳ６では、医療従事者が図２と図３に示す開始スイッチ１９を押して、輸液ポンプ１の動作を開始して、輸液チューブ２を通じて患者に対して薬剤を送液する。ステップＳ７では、薬剤が予定量送液されたら、輸液ポンプ１を用いた送液動作が終了する。
【００４３】
ところで、図５に示すこれらの目標注入速度設定範囲Ｒ１、Ｒ２、Ｒ３とは、輸液ポンプ１により薬剤を輸液する際に、薬剤の注入速度を設定しようとする頻度の高い目標設定値の範囲である。そこで、目標注入速度設定範囲Ｒ１、Ｒ２、Ｒ３・・・は、医療従事者が前回輸液ポンプ１により薬剤を輸液する際に前回設定した薬剤の注入速度の目標設定値の範囲を、図５に示すメモリ２５０に記憶しておいて、医療従事者が、次回輸液ポンプ１により薬剤を輸液する際には、メモリ２５０に記憶しておいた薬剤の注入速度の目標注入速度設定範囲Ｒ１、Ｒ２、Ｒ３を制御部１００に読み出して使用することができる。
あるいは、目標注入速度設定範囲Ｒ１、Ｒ２、Ｒ３・・・は、医療従事者が、輸液ポンプ１により薬剤を以前数回輸液した際に以前数回設定した薬剤の注入速度の目標設定値の範囲を平均化して、図５に示すメモリ２５０に記憶する。医療従事者が、次回輸液ポンプ１により薬剤を輸液する際に、メモリ２５０からその平均化した目標注入速度設定範囲Ｒ１、Ｒ２、Ｒ３を制御部１００に読み出して使用することができる。
【００４４】
また、図２と図４に示すように、輸液ポンプ１は、設定変更部２７０を有している。この設定変更部２７０は、必要に応じて、図５に示す目標注入速度設定範囲Ｒ１、Ｒ２、Ｒ３・・・の幅、目標注入速度設定範囲Ｒ１、Ｒ２、Ｒ３・・・における第２の傾きＴＴの値、目標注入速度設定範囲Ｒ１、Ｒ２、Ｒ３・・・の出現回数を変更する際に、医療従事者が指で押すようになっている。
具体的には、例えば、医療従事者が設定変更部２７０を１回分押した状態では、医療従事者がアップ・ダウン操作部２００の注入速度アップスイッチ２０１あるいは注入速度ダウンスイッチ２０２を押すことにより、目標注入速度設定範囲Ｒ１、Ｒ２、Ｒ３・・・の幅を増加させたり減少させることができる。
【００４５】
また、医療従事者が設定変更部２７０を合計２回分押した状態では、医療従事者がアップ・ダウン操作部２００の注入速度アップスイッチ２０１あるいは注入速度ダウンスイッチ２０２を押すことにより、目標注入速度設定範囲Ｒ１、Ｒ２、Ｒ３・・・における第２の傾きＴＴの値を大きくしたり小さくすることができる。ただし、第２の第２の傾きＴＴの変更できる範囲は、第１の傾きＬＣよりも小さい値の範囲である。
さらに、医療従事者が設定変更部２７０を合計３回分押した状態では、医療従事者がアップ・ダウン操作部２００の注入速度アップスイッチ２０１あるいは注入速度ダウンスイッチ２０２を押すことにより、目標注入速度設定範囲Ｒ１、Ｒ２、Ｒ３・・・の設定回数を増加させたり減少させることができる。この場合に、図５の例では、目標注入速度設定範囲Ｒ１、Ｒ２、Ｒ３が設定されているが、２つの目標注入速度設定範囲Ｒ１、Ｒ２あるいは４つ以上の目標注入速度設定範囲Ｒ１、Ｒ２、Ｒ３、Ｒ４を設定することが可能である。
【００４６】
本発明の実施形態の輸液ポンプ１では、医療従事者がより少ない操作回数で入力する数値を目標設定値に設定することができる。すなわち、医療従事者が、薬剤の注入速度入力部を押して薬剤の注入速度を入力する際に通常注入速度設定範囲では薬剤の注入速度を第１の傾きで早い速度で増加させ、薬剤の注入速度が目標注入速度設定範囲に達すると、目標注入速度設定範囲では通常注入速度設定範囲に比べて薬剤の注入速度を第２の傾きで遅い速度で増加させることできるので、医療従事者がより少ない操作回数で入力する注入速度の数値を、注入速度の目標設定値に設定することができる。
【００４７】
ところで、本発明は上記実施形態に限定されず、本発明は様々な修正と変更が可能であり、特許請求の範囲に記載された範囲で種々の変形が可能である。
通常注入速度設定範囲Ｍ１、Ｍ２、Ｍ３と目標注入速度設定範囲Ｒ１、Ｒ２、Ｒ３の設定数は、３つに限らず、２つあるいは４つ以上であってもよい。
また、注入予定量（ｍＬ）についても、複数の所定の目標設定範囲を定めて、上述の注入速度設定範囲と同様な制御で、設定できるようにしてもよい。
また、アップ・ダウン操作部２００の注入速度アップスイッチ２０１あるいは注入速度ダウンスイッチ２０２に変えて、ジョグダイヤルで行なうようにし、目標注入速度設定範囲の近傍では、ジョグダイヤルを回転させる力が重くなるように制御部で制御するようにしてもよい。
図１と図２に示す輸液ポンプ１では、輸液チューブ２が上下方向に沿って設定されるが、これに限らず輸液チューブ２が水平方向に装着される輸液ポンプであっても良い。本発明の輸液ポンプとしては、シリンジを装着してシリンジ内の薬剤を患者に送液するシリンジポンプも含む。
【符号の説明】
【００４８】
１・・・輸液ポンプ、２・・・輸液チューブ（薬剤管路）、３・・・本体ベース、４・・・ドア、１００・・・制御部、１９０・・・ポンプ機構部、２００・・・アップ・ダウン操作部（薬剤の注入速度入力部の一例）、２０１・・・注入速度アップスイッチ、２０２・・・注入速度ダウンスイッチ、２７０・・・設定変更部、ＬＣ・・・第１の第２の傾きＴＴ・・・第２の傾き、Ｒ１、Ｒ２、Ｒ３・・・標注入速度設定範囲、Ｍ１、Ｍ２、Ｍ３・・・通常注入速度設定範囲
【図１】
2012205736.tif 000003
【図２】
2012205736.tif 000004
【図３】
2012205736.tif 000005
【図４】
2012205736.tif 000006
【図５】
2012205736.tif 000007
【図６】
2012205736.tif 000008